(57)【要約】      （修正有）【課題】クリーナ機構を、シュレッダ機構の機能を向上させる態様で、合理的に備えさせたシュレッダ装置を提供する。【解決手段】シュレッダ装置は、上部１ａに、入れ込み開口１ｋから入れ込まれる紙などの細断対象に細断を施す第一モータ２ｂにより駆動される細断手段を備えたシュレッダ機構を内蔵し、シュレッダ機構の下方には細断手段により細断されて下方に送り出される細断物の収容部３を有する。また上部１ａに、第二モータ５ｅで駆動されるファン５ｇにより吸引ホース７を通じて細断物を吸引可能とするクリーナ機構５を内蔵し、クリーナ機構の排気を第一モータ２ｂに吹きかけるように構成されている。【選択図】図２
0003219986.tif 000002
【実用新案登録請求の範囲】
【請求項１】
上部に、入れ込み開口から入れ込まれる紙などの細断対象に細断を施す第一モータにより駆動される細断手段を備えたシュレッダ機構を内蔵し、
前記シュレッダ機構の下方に前記細断手段において細断されて下方に送り出される細断物の収容部を有するシュレッダ装置であって、
前記上部に、第二モータにより駆動されるファンにより吸引ホースを通じて前記細断物などの吸引対象を吸引可能とするクリーナ機構を内蔵すると共に、
前記クリーナ機構の排気を前記第一モータに吹きかけるようにしてなる、シュレッダ装置。
【請求項２】
前記クリーナ機構を稼働させるときは前記第一モータの駆動回路が開成されるようにしてなる、請求項１に記載のシュレッダ装置。
【請求項３】
前記第一モータにおける駆動軸の突き出し側と反対の側には、前記第一モータの駆動により回転して前記第一モータにエアを吹きかけるモータ側ファンが備えられていると共に、
前記クリーナ機構の排気が、前記モータ側ファン側から前記第一モータに吹きかけられるようにしてなる、請求項２に記載のシュレッダ装置。
【考案の詳細な説明】
【技術分野】
【０００１】
この考案は、モーターによって動作される細断手段を備えた細断機構を有し、外部からこの細断機構に送り込まれた紙などの細断対象を細かく切り刻んだ細断物とするシュレッダ装置の改良に関する。
【背景技術】
【０００２】
上部にシュレッダ本体を、その下方にダストボックスを備え、シュレッダ本体から生じるシュレッダ屑をダストボックスに収容するようにしたシュレッダ装置に掃除機機能を付加したものとして、特許文献１に示されるものがある。
【０００３】
この特許文献１のものは、吸引モータにより駆動される掃除機ユニットを単純にシュレッダ装置の上部に備えさせるに留まるものであった。
【先行技術文献】
【特許文献】
【０００４】
【特許文献１】特開平１１−３４７４３５号公報
【考案の概要】
【考案が解決しようとする課題】
【０００５】
この考案が解決しようとする主たる問題点は、この種のシュレッダ装置にクリーナ機構を、シュレッダ機構の機能を向上させる態様で、合理的に備えさせることにある。
【課題を解決するための手段】
【０００６】
前記課題を達成するために、この考案にあっては、シュレッダ装置を、上部に、入れ込み開口から入れ込まれる紙などの細断対象に細断を施す第一モータにより動作される細断手段を備えたシュレッダ機構を内蔵し、
前記シュレッダ機構の下方に前記細断手段において細断されて下方に送り出される細断物の収容部を有するシュレッダ装置であって、
前記上部に、第二モータにより駆動されるファンにより吸引ホースから前記細断物などの吸引対象を吸引可能とするクリーナ機構を内蔵すると共に、
前記クリーナ機構の排気を前記第一モータに吹きかけるようにしてなる、ものとした。
【０００７】
また、前記クリーナ機構を稼働させるときは前記第一モータの駆動回路が開成されるようにしておくことが、この考案の態様の一つとされる。
【０００８】
また、前記第一モータにおける駆動軸の突き出し側と反対の側には、前記第一モータの駆動により回転して前記第一モータにエアを吹きかけるモータ側ファンが備えられていると共に、
前記クリーナ機構の排気が、前記モータ側ファン側から前記第一モータに吹きかけられるようにしておくことが、この考案の態様の一つとされる。
【考案の効果】
【０００９】
この考案によれば、クリーナ機構の稼働時に、その排気によってシュレッダ機構の第一モータを冷却することができる。すなわち、この考案によれば、シュレッダ機構の機能を向上させる態様で、シュレッダ装置にクリーナ機構を備えさせることができる。
【図面の簡単な説明】
【００１０】
【図１】図１は、この考案の一実施の形態にかかるシュレッダ装置の斜視構成図である。
【図２】図２は、前記シュレッダ装置の上部の左右方向における縦断面構成図である。
【図３】図３は、前記シュレッダ装置の上部の前後方向における縦断面構成図である。
【図４】図４は、、前記シュレッダ装置の上部の横断面構成図である。
【考案を実施するための形態】
【００１１】
以下、図１〜図４に基づいて、この考案の典型的な実施の形態について、説明する。
【００１２】
この実施の形態にかかるシュレッダ装置１は、シュレッダ機構２と、クリーナ機構５とを内蔵する。シュレッダ機構２及びクリーナ機構５は共にシュレッダ装置１の上部１ａに内蔵されている。
【００１３】
図示の例では、シュレッダ装置１は、天面１ｄ、底面１ｅ、前面１ｆ、背面１ｇ、左側面１ｈ、および右側面１ｉを備えた、六面体状を呈している。前面１ｆは、図中符号１ｊで示す前扉により構成されている。
【００１４】
シュレッダ機構２及びクリーナ機構５を内蔵する上部１ａの上面１ｂが前記天面１ｄともなっている。天面１ｄには、左右方向に長い、入れ込み開口１ｋが形成されている。
【００１５】
シュレッダ機構２は、細断手段となる左右方向に回転中心軸を沿わせた一対の回転カッタ２ａと、この回転カッタ２ａを駆動させる第一モータ２ｂとを備えている。図示の例では、平面視の状態において、シュレッダ装置１を前後に二分する仮想の直線ｘ（図４参照）より背面１ｇ側に一対の回転カッタ２ａが配され、前記仮想の直線ｘより前面１ｆ側に前記第一モータ２ｂが配されている。左側面１ｈと、一対の回転カッタ２ａの左端及び第一モータ２ｂの左端との間には、ギアボックス２ｅ（内部機構は省略する。）が配されており、このギアボックス２ｅを介して、第一モータ２ｂの駆動により一対の回転カッタ２ａが回転されるようになっている。また、前記入れ込み開口１ｋから入れ込まれた細断対象は、一対の回転カッタ２ａ間に送り込まれるようになっている。一対の回転カッタ２ａは、送り込まれた細断対象を細断物として下方に送り出すように回転される。また、前記第一モータ２ｂの右端には、第一モータ２ｂの駆動により回転して第一モータ２ｂのモータケーシング２ｄに対し右側からエアを吹きかけるモータ側ファン２ｃが備えられている。
【００１６】
また、前記シュレッダ機構２の下方には、前記細断手段において細断されて下方に送り出される細断物の収容部３が備えられている。図示の例では、前記上部１ａの下面１ｃと、前記底面１ｅとの間が前記収容部３となっている。
【００１７】
収容部３内には、左右寸法をシュレッダ装置１の左右寸法よりも小さくさせた上面開口のダストボックス４が取り出し可能に納められている。ダストボックス４の右側面１ｉとシュレッダ機構２の右側面１ｉとの間の空間には、前記クリーナ機構５に接続される吸引ホース７が納まるようになっている。吸引ホース７は、その一端をクリーナ機構５を構成するダストケース５ｈに接続させると共に、他端にノズル７ａを備えている。吸引ホース７は、未使用時は、ノズル７ａ側をシュレッダ装置１の右側面１ｉの内側に設けられた係合部１ｍに係合させて、前記空間内にＵ字状をなすようにして納められる。
【００１８】
前記前扉１ｊを開くことで、前記収容部３から前記ダストボックス４を取り出し、ダストボックス４内にたまった細断物を捨てることができるようになっている。また、前記前扉１ｊを開くことで、前記吸引ホース７を引き出し、床などに落ちた細断物などの吸引対象をそのノズル７ａより吸引してこれを除去、つまり、掃除できるようになっている。
【００１９】
図示の例では、前扉１ｊを開くことで外部に臨む前記上部１ａの前面にクリーナ機構５を構成する第二モータ５ｅの駆動回路（図示は省略する。）中のスイッチ５ａが備えられており、このスイッチ５ａを閉成（ＯＮ）することで第二モータ５ｅを駆動させてクリーナ機構５を稼働させるようになっている。また、シュレッダ機構２を構成する第一モータ２ｂの駆動回路（図示は省略する。）は前扉１ｊを開いたときは開成（ＯＦＦ）となるように前扉と連係されている。すなわち、前記クリーナ機構５を稼働させるときは前記第一モータ２ｂの駆動回路が開成されるようになっている。
【００２０】
クリーナ機構５は、前記仮想の直線ｘよりも前面１ｆ側で、かつ、シュレッダ装置１を左右に二分する仮想の直線ｙ（図4参照）と右側面１ｉとの間に実質的に納められている。
【００２１】
クリーナ機構５は、下部に吸引口５ｃを、側部に排気口５ｄを備えると共に、内部に第二モータ５ｅにより駆動されるファン５ｇを収めてなる吸引室５ｂと、
この吸引室５ｂの前記吸引口５ｃに内部を連通させるように前記吸引室５ｂに組み合わされると共に、前記吸引ホース７の一端の接続部５ｉを備えたダストケース５ｈと、
前記接続部５ｉと前記吸引口５ｃとの間に介在されるフィルタ５ｊとを備えている。
【００２２】
図示の例では、吸引室５ｂは、ダストケース５ｈの上方に位置する。図示の例では、この吸引室５ｂ内に第二モータ５ｅとファン５ｇの双方が納められている。第二モータ５ｅは、その下端から下方に出力軸５ｆを突き出させており、この出力軸５ｆに回転中心軸を鉛直に配する態様でファン５ｇが取り付けられている。
【００２３】
また、図示の例では、ダストケース５ｈは、上端を開放させ下端を閉塞させた筒状をなし、上端を吸引室５ｂの下部に取り外し可能に組み合わせて吸引室５ｂと一体化されている。ダストケース５ｈの側部に前記接続部５ｉが備えられている。図３中、符号５ｍで示すのは、ダストケース５ｈ内にその筒軸を概ね中心としたエアの流れを生じさせるための逆止弁である。
【００２４】
また、図示の例では、フィルタ５ｊは、エアは通過させるが前記吸引対象は通過させない構成となっている。フィルタ５ｊは上部に鍔５ｋを有して、下部側に主体部を垂下させる袋状を呈している。フィルタ５ｊは前記鍔５ｋをもって吸引室５ｂの下部に取り付けられてダストケース５ｈ内に配され、フィルタ５ｊの主体部が前記接続部５ｉの内方に位置されるようになっている。
【００２５】
前扉１ｊを開けると図示しないメインスイッチを閉成させていても第一モータ２ｂは停止するようになっている。この状態から吸引ホース７の前記係合部１ｍとの係合を解き、収容部３から吸引ホース７を引き出しクリーナ機構５を稼働させることで、吸引ホース７を通じて吸引対象を吸引室５ｂ側に吸引することができ、吸引された吸引対象はフィルタ５ｊによってダストケース５ｈ内にためられる。それと共に、この吸引から生じる排気は排気口５ｄから吸引室５ｂ外に送り出される。
【００２６】
そして、この実施の形態にあっては、前記排気口５ｄの側方に前記第一モータ２ｂが配されている。図示の例では、前記排気口５ｄは、前記吸引室５ｂの左側の側部に形成されている。この排気口５ｄと前記第一モータ２ｂのモータ側ファン２ｃとの間には、一端６ｂを排気口５ｄに連通させ、他端６ａをモータ側ファン２ｃ近傍に位置させる通気路形成体６が備えられている。この通気路形成体６の他端６ａよりクリーナ機構５の排気が図２中符号ｆで示す向きで第一モータ２ｂに吹きかけられるようになっている。
【００２７】
シュレッダ機構２の稼働に伴って第一モータ２ｂは発熱することとなるが、シュレッダ機構２の稼働を止めてクリーナ機構５を稼働させるときに、クリーナ機構５の排気によってシュレッダ機構２の第一モータ２ｂを冷却することができる。
【００２８】
この実施の形態にあっては、前記のように第一モータ２ｂの右端にはモータケーシング２ｄに対し右側からエアを吹きかけるモータ側ファン２ｃが備えられているが、前記のように前扉１ｊを開いたときは第一モータ２ｂは停止され、このとき、前記クリーナ機構５の排気は前記モータ側ファン２ｃと同じ右側からモータケーシング２ｄに対して吹きかけられる。
【００２９】
なお、当然のことながら、本考案は以上に説明した実施態様に限定されるものではなく、本考案の目的を達成し得るすべての実施態様を含むものである。
【符号の説明】
【００３０】
１  シュレッダ装置
１ａ  上部
１ｋ  入れ込み開口
２  シュレッダ機構
２ｂ  第一モータ
３  収容部
５  クリーナ機構
５ｅ  第二モータ
７  吸引ホース
【図１】
0003219986.tif 000003
【図２】
0003219986.tif 000004
【図３】
0003219986.tif 000005
【図４】
0003219986.tif 000006